(57)【要約】
【課題】小ネギの株の塊の分離が十分にでき、かつ不要葉の除去と根部の洗浄が十分にできる小ネギ洗浄装置の提供
【解決手段】この考案の小ネギ洗浄装置は、複数回の分離動作を行える株分離機Ａと株分離機Ａの下流側に、根部ｄから不要葉ｅ部に亘って噴射水を吹き付けることができる粗洗浄機Ｂと粗洗浄機Ｂの下流側に、不要葉ｅ部から根部ｄに亘って噴射水を吹き付けることができる仕上洗浄機Ｃとから構成されているので、狭いスペ−スで、小ネギの洗浄を効率的に歩留まりよく実施できるという効果を奏する。
【選択図】 図１
0003099633.tif 000002
【実用新案登録請求の範囲】
【請求項１】
複数個の歯（１）を設けた上側回転ベルト（２）の下方に対向して、複数個の歯（１’）を設けた下側回転ベルト（２’）を、双方の歯（１，１’）が噛み合うように配設し、上側回転ベルト（２）と下側回転ベルト（２’）とが同一方向に交互に反復して回転してなる株分離機（Ａ）と、該株分離機（Ａ）の下流側に、複数個の噴出口（３）を有し、上流端を基点として水平方向に所定角度（θ）だけ反復して回動する上側粗洗ノズルヘッド（４）とその下方に対向して、複数個の噴出口（３’）を有し、上流端を基点として水平方向に所定角度（θ）だけ上側粗洗ノズルヘッド（４）と共に反復して回動する下側粗洗ノズルヘッド（４’）とを備えた粗洗浄機（Ｂ）と、該粗洗浄機（Ｂ）の下流側に、複数個の噴出口（５）を有し、下流端を基点として水平方向に所定角度（β）だけ反復して回動する上側本洗ノズルヘッド（６）とその下方に対向して、複数個の噴出口（５’）を有し、下流端を基点として水平方向に所定角度（β）だけ上側本洗ノズルヘッド（６）と共に反復して回動する下側本洗ノズルヘッド（６’）とを備えた仕上洗浄機（Ｃ）とからなることを特徴とする小ネギ洗浄装置
【考案の詳細な説明】
【技術分野】
【０００１】
この考案は小ネギの株の塊を分離しながら噴射水によって洗浄する小ネギ洗浄装置に関するものである。
【背景技術】
【０００２】
図５に示すように、小ネギａの葉部を上下対になったベルトコンベアｂ間に軽く挟み、下流側に移動させながら、まず株分離機Ａ’を通し、株の塊ｃを分離し、つぎに株分離機Ａ’の下流側に配設した洗浄機Ｄで、塊ｃから分離した株の根部ｄの方向に圧縮空気又は噴射水を吹き付けて、不要葉の除去と根部ｄの洗浄を連続的に行う小ネギ洗浄装置が知られている。
【０００３】
しかし、横ながし方法として知られている従来の株分離機Ａ’１は、歯１を設けた上下回転ドラム１４，１４’を、図６に示すように配設し、上下回転ドラム１４，１４’の回転数に差をつけて、一定方向に回転し、小ネギａの株の塊ｃを分離していたので、次のような不具合が生じていた。
【０００４】
（１）小ネギの株の塊を完全に分離するためには、数回通過させなければならない。
（２）小ネギの球根部や茎部の損傷率が高い。
【０００５】
また、縦ほぐし方法として知られている従来の株分離機Ａ’２は、歯１を設けた上下回転ドラム１５，１５’を、図７に示すように配設し、上下回転ドラム１５，１５’を一定方向に同じ速度で回転し、小ネギａの株の塊ｃを縦にほぐし分離していたので、次のような不具合が生じていた。
【０００６】
（１）よくほぐれるが、歯に小ネギの枯葉がからまりつくので、枯葉を除去するための掃除が大変である。
（２）ほぐれた小ネギがズンダラ（小ネギの球根部の位置が前後ばらばらに不揃いになること）になって、次の洗浄機にかけられない。
（３）小ネギの球根部や茎部の損傷率が高い。
【０００７】
さらに、横ながし方法として知られている従来の別の株分離機Ａ’３は、キャタビラ状に歯１を設けた上下回転ベルト１６，１６’を、図８に示すように配設し、上下回転ベルト１６，１６’の回転速度に差をつけて、一定方向に回転し、小ネギａの株の塊ｃを分離していたので、次のような不具合が生じていた。
【０００８】
（１）よくほぐれるが、ほぐれた小ネギがズンダラになって、次の洗浄機にかけられない。
（２）小ネギの球根部や茎部の損傷率が高い。
【０００９】
従来の洗浄機Ｄは、図９に示すように、複数個の噴出口７を有する上側ノズルヘッド８が前段ｆ、中段ｇ、後段ｈと配置され、その下方に対向して、複数個の噴出口７’を有する下側ノズルヘッド８’が同じく前段ｆ’、中段ｇ’、後段ｈ’と配置され、上側ノズルヘッド８と下側ノズルヘッド８’は定位置に固定されていたので、次のような不具合が生じていた。
【００１０】
（１）噴出口７，７’の穴数が非常に多くなり、それに対応するために大容量のコンプレッサ−が必要である。
（２）圧縮空気又は噴射水の噴射方向が一定で固定されており、例えば、小ネギが洗浄機を通過する過程において、根部、球根部、茎部、葉部に当たる空気圧又は水圧の調整がむづかしく、球根部、茎部、葉部の損傷率が高い。
（３）損傷率を下げるために、空気圧又は水圧を下げると、不要葉の除去ができない。
（４）上記のような不良が出ると商品として出荷することができないので、歩留まりがわるくなり、利益率が低下し、小ネギ専業栽培者に大きな経済的損失を与える。
【特許文献１】特開２００２−３０６１４５号公報
【特許文献２】特開２０００−７８９６２号公報
【特許文献３】特開平１１−１０３８３６号公報
【考案の開示】
【考案が解決しようとする課題】
【００１１】
この考案は背景技術で記述した不具合を除去するためになされたもので、小ネギの株の塊の分離が十分にでき、かつ不要葉の除去と根部の洗浄を十分に行える小ネギ洗浄装置の提供を目的とするものである。
【課題を解決するための手段】
【００１２】
この考案の小ネギ洗浄装置は、複数個の歯を設けた上側回転ベルトの下方に対向して、複数個の歯を設けた下側回転ベルトを、双方の歯が噛み合うように配設し、上側回転ベルトと下側回転ベルトとが同一方向に交互に反復して回転してなる株分離機と、該株分離機の下流側に、複数個の噴出口を有し、上流端を基点として水平方向に所定角度だけ反復して回動する上側粗洗ノズルヘッドとその下方に対向して、複数個の噴出口を有し、上流端を基点として水平方向に所定角度だけ上側粗洗ノズルヘッドと共に反復して回動する下側粗洗ノズルヘッドとを備えた粗洗浄機と、該粗洗浄機の下流側に、複数個の噴出口を有し、下流端を基点として水平方向に所定角度だけ反復して回動する上側本洗ノズルヘッドとその下方に対向して、複数個の噴出口を有し、下流端を基点として水平方向に所定角度だけ上側本洗ノズルヘッドと共に反復して回動する下側本洗ノズルヘッドとを備えた仕上洗浄機とからなることを特徴とするものである。
【考案の効果】
【００１３】
この考案は上述のように構成されているので、次のような効果を呈する。
（１）株分離を複数回行い、分離幅が小さく、高速回転させないため、ズンダラにならず、損傷率も小さく、殆ど１株づつに分離することができる。
（２）噴射水を一カ所に集中して吹き付けるのではなく、噴射水の向きを変えながら根部から不要葉部の広範囲に亘って吹き付けているので、不要葉の除去が確実に行えるとともに、根部を損傷したり茎部を破断させるという不具合は殆ど生じない。
（３）対象物に近づきながら、噴射水を吹き付けるので、スナップとバイブレ−ションが効いた噴射圧となり、噴射圧が増強されて、不要葉、球根部、茎部の洗浄力が増大する。
（４）根部損傷や茎部破断等の不良が殆ど出ないので、作業効率が向上し、歩留まりがよく、利益率が向上する。
（５）株分離機の前にカッタ−等の根切用の刃物がないので、安全である。
（６）根部損傷や茎部破断等の不良が殆ど出ないので、不良品を選別する作業が殆ど不要になり、選別作業者を減らすことができ、人件費を節減できる。
（７）この機械は作業場室内の壁側に付けて設置できるので、小さなスペ−スで作業ができる。
（８）空気の質量より水の質量の方が大きいので、電動機の小型化ができる。
（９）空気の噴射音より水の噴射音の方が低いので、作業場が静かである。
【考案を実施するための最良の形態】
【００１４】
不要葉の除去と根部の洗浄を十分に行うという目的を、噴射水を一カ所に集中して吹き付けるのではなく、噴射水の向きを変えながら、かつ対象物に近づきながら、根部から不要葉部の広範囲に亘って吹き付け、不要葉の確実な除去と根部の損傷や茎部の破断させるという不具合を防止できた。
【実施例】
【００１５】
この考案の実施の形態の一例を図面を参照しながら説明するに、株分離機Ａ、粗洗浄機Ｂ及び仕上洗浄機Ｃは図１に示すような位置関係で配設されており、株分離機Ａは、図２に示すように、複数個の歯１を設けた上側回転ベルト２の下方に対向して、複数個の歯１’を設けた下側回転ベルト２’を、双方の歯１，１’が噛み合うように配設し、上側回転ベルト２と下側回転ベルト２’とが同一方向に交互に反復して回転するように構成されている。
【００１６】
上側回転ベルト２と下側回転ベルト２’は、駆動輪９，９’と可動輪１０，１０’に掛けられており、駆動輪９，９’を図示は省略した電動機によって、例えば駆動輪９を左回転、駆動輪９’を右回転させて、上側回転ベルト２と下側回転ベルト２’を矢印１１で示すように、下流側に向かって同方向に回転させている。
【００１７】
駆動輪９を駆動する電動機と駆動輪９’を駆動する電動機は、例えば、駆動時間をタイマ−により設定し、タイマ−の設定時間にしたがってそれぞれの電源が交互にオン・オフするようになっている。
【００１８】
したがって、駆動輪９が回転しているときには、駆動輪９’と下側回転ベルト２’は停止しており、上側回転ベルト２のみが設定時間分だけ矢印１１の方向に回転すると、駆動輪９と上側回転ベルト２は停止する。
【００１９】
すると、駆動輪９’が回転を始め、駆動輪９と上側回転ベルト２は停止し、下側回転ベルト２’のみが設定時間分だけ矢印１１の方向に回転すると、駆動輪９’と下側回転ベルト２’が停止する。このような動作を反復して繰り返す。
【００２０】
上記の反復動作によって、小ネギａの株の塊ｃが、まず上側回転ベルト２の歯１によって分離され、所定長だけ下流側に運ばれて止まり、次に下側回転ベルト２’が回転するので、歯１’によって、再度分離され、所定長だけ下流側に運ばれて止まり、次に上側回転ベルト２が回転するので、歯１によって、再々度分離され、所定長だけ下流側に運ばれるという動作を繰り返す。この動作は１回毎の株分離をする距離（幅）が小さいため、ズンダラになりにくく、又高回転で塊ｃをほぐさないので、損傷率が低い。
【００２１】
即ち、小ネギａの株の塊ｃは、上側・下側回転ベルト２，２’の交互回転の回数分だけ分離動作を繰り返し受けることになるので、最終的には殆ど１株づつに分離させ、しかも損傷率は殆どなく、小ネギａの一本一本はズンダラにならないまま次の粗洗浄機Ｂに送ることができる。
【００２２】
なお、上側回転ベルト２の回転に引きずられて、下側回転ベルト２’が回転するおそれがある場合には、下側回転ベルト２’の駆動輪９’が回転しないように、ブレ−キがかかるようにし、下側回転ベルト２’の回転に引きずられて、上側回転ベルト２が回転するおそれがある場合には、上側回転ベルト２の駆動輪９が回転しないように、ブレ−キがかかるようにしておく。
【００２３】
株分離機Ａの下流側に配設される粗洗浄機Ｂは、図３−図４に示すように、複数個の噴出口３を有し、上流端を基点として水平方向に所定角度θだけ反復して回動する上側粗洗ノズルヘッド４とその下方に対向して、複数個の噴出口３’を有し、上流端を基点として水平方向に所定角度θだけ上側粗洗ノズルヘッド４と共に反復して回動する下側粗洗ノズルヘッド４’とを備えている。
【００２４】
上側・下側粗洗ノズルヘッド４、４’を、上流端を基点として水平方向に所定角度θだけ反復して回動させるには、上流端を基点とする位置に軸１２、１２’を固定し、軸１２，１２’をカム機構等によって、所定角度θだけ反復して回転させる。なお、所定角度θは、小ネギａの長さ、出荷基準規格（Ｓクラス：草丈４５ｃｍ、Ｍクラス：草丈５５ｃｍ、Ｌクラス：草丈６５ｃｍ）に合わせて、自由に変えることができる。
【００２５】
粗洗浄機Ｂの下流側に配設する仕上洗浄機Ｃは、図３−図４に示すように、複数個の噴出口５を有し、下流端を基点として水平方向に所定角度βだけ反復して回動する上側本洗ノズルヘッド６とその下方に対向して、複数個の噴出口５’を有し、下流端を基点として水平方向に所定角度βだけ上側本洗ノズルヘッド６と共に反復して回動する下側本洗ノズルヘッド６’とを備えている。
【００２６】
上側・下側本洗ノズルヘッド６、６’を、下流端を基点として水平方向に所定角度βだけ反復して回動させるには、下流端を基点とする位置に軸１３、１３’を固定し、軸１３，１３’をカム機構等によって、所定角度βだけ反復して回転させる。なお、所定角度βは、小ネギａの長さ、出荷基準規格（Ｓクラス：草丈４５ｃｍ、Ｍクラス：草丈５５ｃｍ、Ｌクラス：草丈６５ｃｍ）に合わせて、自由に変えることができる。
【００２７】
すると、株分離機Ａから送られてきた不要葉ｅがついたままの小ネギａの根部ｄは、図４に示すように、上側・下側粗洗ノズルヘッド４、４’の上流側では、噴出口３，３’からの噴射水は根部ｄのみに当たるが、小ネギａが下流側に送られるにつれて、不要葉ｅに当たり、不要葉ｅを吹き飛ばし除去する。
【００２８】
上側・下側粗洗ノズルヘッド４、４’が所定角度θだけ回動した状態から、元位置に戻るときには、噴出口３，３’から噴射される噴射水は、上側・下側粗洗ノズルヘッド４、４’が元位置の方へ回転しながら、即ち対象物に近づきながら噴射されるので、例えば、一定噴射圧の噴射水速度が、上側・下側粗洗ノズルヘッド４、４’の移動速度も加わり、噴射水の向きも変るので、低噴射水圧でも高噴射水圧並のスナップとバイブレ−ションの効いた噴射力になり、噴射水圧が増強されて、不要葉ｅの除去力や根部、球根部、茎部の洗浄力が増大する。
【００２９】
したがって、上側・下側粗洗ノズルヘッド４、４’を回動できないように固定した場合に比べて、噴出口５，５’の数が少なく、小さい噴射水圧でも、スナップとバイブレ−ションの効いた噴射水圧で不要葉ｅの除去や根部、球根部、茎部の洗浄ができる。
【００３０】
小ネギａが移動して、上側・下側粗洗ノズルヘッド４、４’の下流域に達するころには、殆どの不要葉ｅは除去されている。
【００３１】
小ネギａが粗洗浄機Ｂから仕上洗浄機Ｃへ送られると、図４に示すように、まず粗洗浄機Ｂで除去できなかった不要葉ｅに、上側・下側本洗ノズルヘッド６，６’の噴出口５，５’から噴出される噴出水が当たり、残存していた不要葉ｅを除去する。
【００３２】
さらに、小ネギａが上側・下側本洗ノズルヘッド６，６’を下流へ移動するにしたがって、洗浄の部位が下がり、再度根部ｄが重点的に洗浄されて、きれいになった状態で、仕上洗浄機Ｃから送り出される。
【産業上の利用可能性】
【００３３】
狭いスペ−で、小ネギの洗浄を効率的に歩留まりよく実施したいという用途に適用できる。
【図面の簡単な説明】
【００３４】
【図１】株分離器、粗洗浄機及び仕上洗浄機の位置関係を示す平面図
【図２】株分離機の概略側面図
【図３】粗洗浄機と仕上洗浄機の概略側面図
【図４】図３における平面図
【図５】従来の株分離機と洗浄機の位置関係を示す平面図
【図６】従来の株分離機の概略斜視図
【図７】従来の株分離機の概略斜視図
【図８】従来の株分離機の概略側面図
【図９】従来の洗浄機の概略斜視図
【符号の説明】
【００３５】
１，１’ 歯
２，２’上側、下側回転ベルト
３，３’噴出口
４，４’上側、下側粗洗ノズルヘッド
５，５’噴出口
６，６’上側、下側本洗ノズルヘッド
７，７’噴出口
８，８’上側、下側ノズルヘッド
９，９’駆動輪
１０，１０’可動輪
１１ 矢印
１２，１２’軸
１３，１３’軸
１４，１４’，１５，１５’上下回転ドラム
１６，１６’上下回転ベルト
Ａ，Ａ’株分離機
Ｂ 粗洗浄機
Ｃ 仕上洗浄機
Ｄ 洗浄機
ａ 小ネギ
ｂ ベルトコンベア
ｃ 塊
ｄ 根部
ｅ 不要葉
ｆ，ｆ’前段
ｇ，ｇ’中段
ｈ，ｈ’後段
θ，β 角度
【図１】
0003099633.tif 000003
【図２】
0003099633.tif 000004
【図３】
0003099633.tif 000005
【図４】
0003099633.tif 000006
【図５】
0003099633.tif 000007
【図６】
0003099633.tif 000008
【図７】
0003099633.tif 000009
【図８】
0003099633.tif 000010
【図９】
0003099633.tif 000011